(57)【要約】【課題】デジタル放送番組を録画した記録再生装置から携帯端末に録画した動画像を転送する際に、記録再生装置の処理負荷を軽減して転送処理を実行する。【解決手段】放送ストリームは２０１のように受信したＴＳパケットが入ってきた場合、固定端末であるレコーダには２０２の様に一定のパケット個数毎に（単位時間ごとに）ヘッダ２０３をつけ、到着時間と共にパケットをつめて、選局した番組に関係するパケットのみをＨＤＤなどの記録メディアに保存する。さらに、携帯端末に使用する場合は、２０４の様にワンセグ放送データのみをさらに選択してメモリカードなどに記録する。  【選択図】  図２
2007274562.tif 000002
【特許請求の範囲】
【請求項１】
デジタル放送の記録再生装置にいて他の携帯端末に録画された動画データを転送する転送方法において、
録画したストリームに簡易動画が含まれているかどうかを判定し、
判定の結果、簡易動画が含まれていると判定された場合、簡易動画を再生するのに必要なパケットのみを前記携帯端末に転送し、
簡易動画が含まれていないと判定された場合、前記携帯端末用に再エンコードして転送することを特徴とする動画データ送方法。
【請求項２】
前記携帯端末への保存部として記録媒体を利用することを特徴とする請求項１記載の動画データ転送方法
【請求項３】
前記簡易動画の有無は、前記放送データに含まれる簡易動画フラグデータを参照して判定することを特徴とする請求項１記載の動画データ転送方法。
【請求項４】
前記デジタル放送の放送データに含まれる簡易動画があることを示す識別情報に基づいて、前記再エンコードするか否かを判定することを特徴とする請求項３記載の動画データ転送方法。
【発明の詳細な説明】
【技術分野】
【０００１】
本発明は、動画を記録再生する記録再生装置に関し、特にデジタル放送を記録再生装置に記録し、この記録した動画を他の携帯端末に転送する動画データ転送方式に関するものである。
【背景技術】
【０００２】
従来よりデジタル放送を録画する録画装置が存在する。このような録画装置は通常家庭内における据え置き型の記録装置であり、録画した放送番組を視聴する場合は、一般的には記録再生装置が設置された場所の近くで視聴することが多い。しかし最近では、携帯電話などに録画番組をダウンロードしたりメモリカードなどで録画番組を移行させて外出先などで視聴するような利用形態も実現されるようになってきた。
【特許文献１】特開２００３−２３００８９号公報（第１図）
【発明の開示】
【発明が解決しようとする課題】
【０００３】
しかし、上述した従来技術のように、一旦録画した放送番組を、携帯電話などの転送する場合には、携帯電話用に録画データを変換する処理が必要となる。具体的には、携帯電話の比較的小さな表示画面で視聴できる程度のデータ量に削減して転送することで、携帯電話側での記録容量や再生処理量を削減することである。しかし、このようなデータ量の削減処理は、非常に処理量が大きく、記録再生装置に大きな負荷がかかることとなる。
【０００４】
そこで本発明は、上述した課題を解決するため、記録再生装置の負荷をなるべく抑えた形で、携帯端末に適した録画データの転送処理を実現した記録再生装置における動画像転送方法を提供することを目的とするものである。
【課題を解決するための手段】
【０００５】
本発明は上述したような課題を解決するため、デジタル放送の記録再生装置にいて他の携帯端末に録画された動画データを転送する転送方法において、
録画したストリームに簡易動画が含まれているかどうかを判定し、判定の結果、簡易動画が含まれていると判定された場合、簡易動画を再生するのに必要なパケットのみを前記携帯端末に転送し、簡易動画が含まれていないと判定された場合、前記携帯端末用に再エンコードして転送するものである。
【０００６】
また本発明は前記携帯端末への保存部として記録媒体を利用するものである。
【０００７】
また本発明は、前記簡易動画の有無は、前記放送データに含まれる簡易動画フラグデータを参照して判定するものである。
【０００８】
また本発明は、前記デジタル放送の放送データに含まれる簡易動画があることを示す識別情報に基づいて、前記再エンコードするか否かを判定するものである。
【発明の効果】
【０００９】
デジタル放送番組を録画した記録再生装置から携帯端末に録画した動画データを転送する際に、記録再生装置の処理負荷を軽減して転送処理を実行することができる。
【発明を実施するための最良の形態】
【００１０】
以下、本発明における実施形態について図面を用いて説明する。
【００１１】
以下に説明する本実施形態は、デジタルTV放送やインターネットを使用した放送により送信される放送番組を録画する録画装置に関するものである。本実施形態の録画装置のシステム構成としては、従来より存在するたとえば特開２００４−３０３３２４号公報に記載されている通りでりであり、説明を省略する。
【００１２】
そこでまずは本実施形態で扱われるデジタルＴＶ放送の伝送フォーマットについて簡単に説明する。
【００１３】
デジタルＴＶ放送などやインターネットなどの有線を使用した放送などの圧縮動画を、放送（配信）を行うための方式において、共通の基本フォーマットであるＭＰＥＧ−ＴＳ方式は、パケットの管理データ部分とペイロードに分かれる。
【００１４】
ペイロードには、再生されるべき対象のデータがスクランブルの掛かった状態で含まれている。ＡＲＩＢによると、その他にＰＡＴ（Program Association Table）やＰＭＴ（Program Map Table）やＳＩ（Service Information）に関しては、スクランブルされていない。また、ＰＭＴやＳＩ（SDT：Service Description Table、EIT：Event Information Table、BAT：Bouquet association Table）を利用してさまざまな管理情報を作成する。
【００１５】
再生対象としては、ＭＰＥＧビデオデータやＤｏｌｂｙ  ＡＣ３  オーディオデータやＭＰＥＧオーディオデータ、データ放送データなど、さらに、直接、再生対象には関係ないが、再生する上で必要なＰＡＴ、ＰＭＴ、ＳＩなどの情報（番組情報等）などがある。
【００１６】
ＰＡＴには、番組毎のＰＭＴのＰＩＤ（Packet  Identification）が含まれており、さらにＰＭＴにはビデオデータやオーディオデータのＰＩＤが記録されている。
【００１７】
これにより、ＨＤＤ−ＤＶＤレコーダ等の記録再生装置を用いた通常の再生手順としては、ＥＰＧ情報により、ユーザーが番組を決定すると、目的の番組の開始時間に、ＰＡＴを読み込み、そのデータを元に、希望の番組に属するＰＭＴのＰＩＤを決定し、そのＰＩＤに従って、目的のＰＭＴを読み出し、そこに含まれる再生すべきビデオ、オーディオパケットのＰＩＤを決定し、ＰＭＴ、やＳＩにより、ビデオ、オーディオの属性を読み出し、各デコーダへセットし、前記ビデオ、オーディオデータをＰＩＤに従って、切り出して、再生を行う。ここで、ＰＡＴ、ＰＭＴ、ＳＩ等はチャネル切り替えにも使用するため（チャンネルを切り替えてすぐに映像が出るように）、数１００ｍｓごとに送信されてくる。
【００１８】
ただし、移動体用の放送でいわゆるワンセグ（ワンセグ（商標））放送が現在行われている。ここでは、ＰＡＴが無く、ＮＩＴ（Network Information Table）とＰＭＴだけで、ＮＩＴで記載されているサービス番号により、あらかじめＰＭＴが決まっており、このサービス番号にしたがってＰＭＴが決定される。
【００１９】
さらに、このデジタル放送をチューナーからＨＤＤ−ＤＶＤレコーダなどの記録再生機器に送信して記録する場合には、目的の番組のオブジェクトデータのみを選択して記録する。このフォーマットをパーシャルＴＳと称している。
【００２０】
この場合、ＰＡＴ、ＰＭＴは目的の番組に合わせ再編集され、さらにＳＩＴ（Selection Information Table）、ＤＩＴ（Discontinuity  information Table）が追加される。ＳＩＴは放送内のＥＩＴなどの情報を基に作られ、ＥＩＴと同じタイミングで挿入される。また、ＤＩＴはビットストリームが不連続な箇所に挿入される。ＤＩＴは２ＴＳパケット一組で挿入される。これにより、コンテンツが不連続かどうかが判定される。
【００２１】
さらに携帯端末向けに利用されるワンセグ放送は本放送にマージされて放送されており、ここで簡易動画（Ｈ２６４  ＡＶＣ）、ＡＡＣ  ＬＣが対象のデータとなる。
【００２２】
また、現在のＨＤＤ−ＤＶＤレコーダはハードディスクドライブやＤＶＤディスクなどの大容量の記録メディアを搭載しており、上述したようなデータ構造のデジタル放送をそのデータ構造のまま記録することができる。従って、ＨＤＤ−ＤＶＤレコーダなどの高速なディスクメディアに記録する場合には、放送されたデータをそのまま（必要な番組に属するデータのみ選択する：パーシャルＴＳ）、デジタルデータとして記録する方が有利である。
【００２３】
そのため、従来のＶＲ（ビデオレコーディング）フォーマットとは違う、ストリームをそのまま記録するフォーマットとしてＥＳＲ（エクステンドストリームレコーディング）をＶＲにマージすることにより、ＶＲの資産を生かしつつ、デジタル放送に対応した規格となる。
【００２４】
ＤＶＤディスクは、ディスク内のデータにはファイルシステムが入っているボリューム／ファイル構造情報領域と、データファイルを実際に記録するデータ領域で構成されている。
【００２５】
ファイルシステムは、どのファイルがどこに記録されているかを示す情報で構成されている。データ領域には一般のコンピュータが記録する領域とＡＶデータを記録する領域にわけられる。ＡＶデータ記録領域は、ＡＶデータの管理をするためのＶＭＧファイルがあるＡＶデータ管理情報領域とビデオレコーディング規格のオブジェクトデータ（ＶＯＢＳ）ファイル（ＶＲＯファイル）の記録されるＶＲオブジェクト群記録領域とデジタル放送に対応したオブジェクト（ＳＯＢＳ：Ｓtream object set）が記録されているＳｔｒｅａｍオブジェクト群記録領域で構成されている。
【００２６】
ここで、DVD-Video（ROM  Video）はVIDEO-TS、DVD-VR（録再ＤＶＤ）はDVD-RTAVとフォーマット毎にディレクトリをわけており、本実施形態で用いられているデジタル放送対応のＤＶＤ規格も例えば録画ビデオディレクトリというディレクトリに記録される。
【００２７】
つまり、図１に示す様に、録画ビデオディレクトリというディレクトリ１０１に、ビデオ管理情報ファイル１０２をおき、その下のセルフビデオ管理ディレクトリ１０３にビデオオブジェクトファイル１０４を置き、デジタル放送管理ディレクトリ１０５には、ストリームオブジェクトファイル１０６とストリームオブジェクト管理ファイル１０７で構成されている。
【００２８】
ここで、ストリーム管理情報はビデオ管理情報ファイル１０２内にある場合と、デジタル放送管理ディレクトリ１０５内に別ファイルで用意する場合が考えられる。また、再生順は再生順情報１１０できめられる。
【００２９】
さらに、簡易動画があるかどうかのフラグをストリーム属性情報１０８内のＥＸ＿ＳＯＢ一般情報１０９内に設けて、処理する場合と、設けなくて、ＥＸ＿ＳＯＢ一般情報内のＰＭＴ＿ＰＩＤをしらべることにより簡易動画があるとする場合が考えられる。
【００３０】
また、ストリームデータは、図２に示すように放送ストリームは最上段２０１の様にＴＳパケットが入ってきた場合、固定端末であるレコーダは中段２０２の様に一定のパケット個数毎に（単位時間ごとに）ヘッダ２０３をつけ、到着時間と共にパケットをつめて、選局した番組に関係するパケットのみをメディアに保存する。さらに、携帯端末に使用する場合は、最下段２０４の様にワンセグ放送データのみをさらに選択して記録する。
【００３１】
この携帯端末へのデータの移行は、図３に示すように、携帯端末を直接つなぎ、携帯端末内のメモリ（ＨＤＤ）にダウンロードする場合と、ＳＤカード(メモリーカード)やＵＳＢメモリー、ＨＤＤなどのメディアに保存して、そのメディアを携帯端末に接続して再生することが考えられる。
【００３２】
次に、編集処理において、さらに、ユーザーの指示(リモコンキーの入力)により、番組メニュー表示処理は、図４、図５に示すようになる。
【００３３】
まず編集処理を開始すると、ビデオ管理情報を読み込み、ワークへ展開を行う（ステップＳ４０１）。そして再生順情報より、ＥＸ＿ＰＧ情報よりＣＬＩＰごとにサムネールを表示するように設定し、サムネールの座標を設定する（ステップＳ４０２）。
【００３４】
次に目標の座標にＣＬＩＰのサムネールを表示し、さらに、簡易動画があるかどかを判定し（簡易動画フラグもしくはＰＭＴ＿ＰＩＤに０x１fc８-fの範囲の値があるかどうかで判定）、ある場合はその旨を表示する（ステップＳ４０３）。
【００３５】
そして、他にCLIPがあるかどうかを判定し、ある場合（ステップＳ４０４のY）は、ステップＳ４０５へ移行する。
【００３６】
ステップＳ４０５において、ＣＬＩＰが４枚目の場合は表示位置を一段下げる。また６枚目以内の場合は表示位置を右へ１段ずらし次のＣＬＩＰへ移行し（ステップＳ４０６）、ステップＳ４０３へ移行する。
【００３７】
この処理を繰り返したあと、ＣＬＩＰの６枚目の表示が終了、すなわち７枚目の場合（ステップＳ４０７のＹ）はページ送り記号を表示する（ステップＳ４０９）。
【００３８】
そして、ユーザーが特定のＣＬＩＰ画像を選択する選択入力を待ち（ステップＳ４１０）、ページ送りの場合は（ステップＳ４１２のＹ）、次のＣＬＩＰへ移行し、表示をクリアして、表示位置を初期値に戻し、ステップＳ４０３に戻る。一方、ユーザがＣＬＩＰ画像を選択した場合（ステップＳ４１１のＮ）、選択された画像の再生開始時間、ＣＬＩＰ番号、ＥＸ＿ＰＧ番号を読み出し（ステップＳ４１３）、再生処理を実行する（ステップＳ４１４）。
【００３９】
次に図６を用いて、簡易動画が含まれているか否かを検出する検出動作について説明する。録画時に、簡易動画かどうかを検出して、簡易動画フラグを設定する処理は、図６に示すように、放送ストリームをチェックし（ステップＳ６０１）、ＮＩＴ内の値をチェックする（ステップＳ６０２）。具体的にはＮＩＴ内のサービスタイプが０x０cのものがあるかどうか、(若しくはＰＭＴ＿ＰＩＤにに０x１fc８-fの範囲の値があるかどうか)で判定し（ステップＳ６０３）、簡易動画がある場合には（ステップＳ６０３のＹ）簡易動画フラグに１を設定し（ステップＳ６０４）、無い場合（ステップＳ６０３のＮ）には、管理情報内の簡易動画フラグを０を設定する（ステップＳ６０５）。
【００４０】
次に、図７を用いて携帯端末に動画像データをコピーする処理ついて説明する。
【００４１】
ＨＤＤ−ＤＶＤプレーヤなどの固定端末から携帯端末に動画像データをコピーするには、まずビデオ管理情報を読み込み（ステップＳ７０１）、ユーザーがコピーする番組を決定する（ステップＳ７０２）。
【００４２】
次に、その決定した番組の再生順情報を参照してＥＸ＿ＳＯＢを決定する（ステップＳ７０３）。そして指定された録画番組データに、簡易動画があるか否かを判定する（ステップＳ７０４）。具体的には目的のＥＸ＿ＳＯＢに簡易動画フラグもしくはＰＭＴ＿ＰＩＤに０x１fc８-fの範囲の値があるかどうかで判定する。そして簡易動画があると判定された場合にはステップ７０５へすすみ、簡易動画がないと判定された場合にはステップＳ７０６へ進む。
【００４３】
簡易動画があると判定された場合、指定された動画データから、図２に示すように簡易動画に関係するパケットを選別して、ストリームを作成し、そのストリームを携帯端末へ若しくはメディアへ記録し（ステップＳ７０５）、管理情報をそのメディアに保存して（ステップＳ７０９）、本処理を終了する。
【００４４】
一方、簡易動画がないと判定された場合には、簡易動画が無い旨の通知を表示画面などを用いてユーザーへ知らせ、中止するかどうかを聞く（ステップＳ７０６）。ユーザに対して中止可否の選択を要求するのは、再エンコードは簡易動画コピーに比べ、時間がかかるためである。中止の場合（ステップＳ７０７のY）は本処理を終了する。
【００４５】
そして、簡易動画の作成を実行する場合には（ステップＳ７０７のＮ）、ＥＸ＿ＳＯＢを読み出し、再エンコードを行い、簡易動画と同等のデータを作成して、携帯端末へ若しくはメディアへ記録し（ステップＳ７０８）、管理情報をそのメディアに保存して（ステップＳ７０９）、本処理を終了する。
【００４６】
以上説明したように、本実施形態においては、固定端末であるＨＤＤ−ＤＶＤレコーダより携帯端末へ簡易動画を簡単に移行させることができ、電車などの通勤などのユーザーが外出時にもレコーダに記録している映像を視聴することができる。
【図面の簡単な説明】
【００４７】
【図１】本発明の一実施形態で用いられる動画像データのデータ構造を示すオブジェクト管理フォーマットである。
【図２】同実施形態で用いられるデジタル放送データを録画する時の、各録画機器に応じた記録フォーマットを説明するための図。
【図３】同実施形態の固定端末と携帯端末の接続例。
【図４】同実施形態における番組メニュー表示の動作処理を説明するためのフローチャート。
【図５】同実施形態における番組メニューの表示例。
【図６】同実施形態における簡易動画検出動作を説明するためのフローチャート。
【図７】同実施形態における携帯端末への動画像コピー処理の動作を説明するためのフローチャート。
【符号の説明】
【００４８】
１０１…録画ビデオディレクトリ、１０２…ビデオ管理情報ファイル、１０３…セルフビデオ管理ディレクトリ、１０４…ビデオオブジェクトファイル、１０５…デジタル放送管理ディレクトリ、１０６…ストリームオブジェクトファイル、１０７…ストリームオブジェクト管理ファイル、１０８…ストリーム属性情報、１０９…ＥＸ＿ＳＯＢ１一般情報、２０１…受信ＴＳ、２０２…固定端末録画フォーマット、２０４…携帯端末録画フォーマット。
【図１】
2007274562.tif 000003
【図２】
2007274562.tif 000004
【図３】
2007274562.tif 000005
【図４】
2007274562.tif 000006
【図５】
2007274562.tif 000007
【図６】
2007274562.tif 000008
【図７】
2007274562.tif 000009